(57)【特許請求の範囲】
【請求項１】
横幅方向に平行で互いに対偶関係の対面部となる２枚のフロントパネルと、これらフロントパネルの内端同士の連結により仕切部となるセンターパネルと、前記フロントパネルの外端に直角方向の外側面部となる２枚のサイドパネルとで構成される対向型デスクトップパネルにおいて、
複数種類のデスク天板のデスク幅に対応する寸法を有するフロントパネルを複数種類用意するとともに、サイドパネルを各種デスク間で共通するパネルとし、２枚のフロントパネルと、該サイドパネルに対して平行または傾斜するセンタパネルとの任意の組み合わせにより、デスクトップパネル全体の幅をデスク幅と等しくし、これらのパネルを前記フロントパネルの延長線内に設けられる凹部が互いに反対を向くように、平面視ほぼＳ字状に連結するようにしたことを特徴とする対向型デスクトップパネル。
【請求項２】
前記フロントパネルの横幅を前記デスク天板の横幅のほぼ半分の横幅に形成してフロントパネルの内端同士を連結するセンターパネルを前記サイドパネルに対して平行となるようにした請求項１記載の対向型デスクトップパネル。
【請求項３】
前記フロントパネルの横幅を前記デスク天板の横幅の半分よりも狭い幅に形成してフロントパネルの内端同士を連結するセンターパネルを前記サイドパネルに対して平面視傾斜させることにより、前記凹部の最大幅をデスク天板の横幅の半分より広幅とした請求項１記載の対向型デスクトップパネル。
【請求項４】
前記フロントパネルの一方の横幅を前記デスク天板の横幅のほぼ半分幅とし、他方の横幅をデスク天板の横幅の半分よりも狭い幅に形成して、フロントパネルの内端同士を連結するセンターパネルを前記サイドパネルに対して急傾斜させることにより、前記凹部の幅を前後で異なるようにした請求項１記載の対向型デスクトップパネル。
【請求項５】
デスクトップパネルを構成する各パネルは金属板が内蔵されている請求項１に記載の対向型デスクトップパネル。
【請求項６】
前記デスクトップパネルを対向配置されるデスク天板の対向端間に跨がって設置することにより前記凹部が互いのデスク天板上に侵入し合って置かれるようにしたことを特徴とする請求項１乃至５のいずれかの項に記載の対向型デスクトップパネル。
【発明の詳細な説明】
【０００１】
【発明の属する技術分野】
本発明は、対向配置される事務用デスク上に設置して、ＯＡ機器類の使用と一般事務作業を妨げることのないようにするための対向型デスクトップパネルに関する。
【０００２】
【従来の技術】
我が国におけるオフィスのデスクのレイアウトは、デスクを向き合わせて配置する対向配列方式が殆どであり、またデスクの天板の大きさも限られている。
【０００３】
近年ではパーソナルコンピュータやワードプロセッサ等のＯＡ機器の普及がめざましく、一般の事務用デスク上にＯＡ機器を設置して作業を行うことが日常化されている。
【０００４】
【発明が解決しようとする課題】
しかしながら上記のＯＡ機器は、近年小型化が進みつつはあるもののＣＲＴディスプレイは相当に大きく、デスク上に設置したときに占めるスペースも大きくなってデスク上の空きスペースが著しく狭くなり、ＯＡ機器以外の事務を行うためのスペースが狭小となって仕事がやり難いという問題が表面化している。
【０００５】
一方、ＣＲＴディスプレイは前面の表示面はもとより、裏面側からも多くの電磁波が放射されるため、自己が使用しているＣＲＴディスプレイから放射される電磁波以外にも対向しているデスク上のＣＲＴディスプレイから電磁波の影響を受けることになるという問題が指摘されている。
【０００６】
【課題を解決するための手段】
本発明は、上記の現状に鑑み、簡単な構成によりデスク天板の上面のＯＡ機器設置用スペースを拡大し、ＯＡ機器を使用する業務と一般事務とを支障なく行うことができる傾斜対向型デスクトップパネルを提供することを課題としてなされたもので、横幅方向に平行で互いに対偶関係の対面部となる２枚のフロントパネルと、これらフロントパネルの内端同士の連結により仕切部となるセンターパネルと、前記フロントパネルの外端に直角方向の外側面部となる２枚のサイドパネルとで構成される対向型デスクトップパネルにおいて、複数種類のデスク天板のデスク幅に対応する寸法を有するフロントパネルを複数種類用意するとともに、サイドパネルを各種デスク間で共通するパネルとし、２枚のフロントパネルと、該サイドパネルに対して平行または傾斜するセンタパネルとの任意の組み合わせにより、デスクトップパネル全体の幅をデスク幅と等しくし、これらのパネルを前記フロントパネルの延長線内に設けられる凹部が互いに反対を向くように、平面視ほぼＳ字状に連結するようにしたことを特徴とする。
【０００８】
さらに請求項２は請求項１に記載の発明において、前記フロントパネルの横幅を前記デスク天板の横幅のほぼ半分の横幅に形成してフロントパネルの内端同士を連結するセンターパネルを前記サイドパネルに対して平行となるようにしたことを特徴とし、また請求項３は請求項１に記載の発明において、前記フロントパネルの横幅を前記デスク天板の横幅の半分よりも狭い幅に形成してフロントパネルの内端同士を連結するセンターパネルを前記サイドパネルに対して平面視傾斜させることにより、前記凹部の最大幅をデスク天板の横幅の半分よりも広幅としたことを特徴とし、そして請求項４は請求項１に記載の発明において、前記フロントパネルの一方の横幅を前記デスク天板の横幅のほぼ半分幅とし、他方の横幅をデスク天板の横幅の半分よりも狭い幅に形成して、フロントパネルの内端同士を連結するセンターパネルを前記サイドパネルに対して急傾斜させることにより、前記凹部の幅を前後で異なるようにしたことを特徴とする。さらに請求項５は請求項１に記載の発明において前記デスクトップパネルの各面部およびデスクトップパネルを構成する各パネルには金属板が内蔵されていることを特徴とする。
【０００９】
【発明の実施の形態】
以下、本発明を図面に示す実施の形態を参照して説明する。
図１は請求項１記載の発明による対向型デスクトップパネル１を対向配置されたデスク２，２上に設置した状態を示し、図２は同平面を、図３は同正面を示している。
【００１０】
上記デスクトップパネル１は、デスク２，２の天板３，３（以下デスク天板という）の横幅Ｌ（図２示）の半分以下の幅を有しかつデスク天板３，３の前後縁３ａ，３ｂと平行に置かれてそのデスク２，２の使用者と対面するように対偶関係に置かれる対面部４，４と、これら対面部４，４の内端を結ぶことにより得られる平面視傾斜した仕切面部５と、対面部４，４の外端に直角に連接された外側面部６，６とで両外側面部６，６間を前記デスク天板３，３の横幅Ｌと略等しくなるようにして両対面部部４，４の延長線（図２に２点鎖線で示す）内の凹部７，７が互いに反対向き（対偶位置）に構成されており、対向配置されるデスク天板３、３の対向端間に跨がって設置することにより凹部７，７は互いのデスク天板３、３上に侵入しあって置かれ、この凹部７，７に例えばＯＡ機器（ＣＲＴ）を設置するようになっており、、仕切面部５が外側面部６と平行に置かれた場合に比較してＯＡ機器を左右に振ることができるので取付位置にある程度の自由度が得られるようになっている。
【００１１】
なお、上記デスクトップパネル１の各面部は電磁波を遮断するための金属板を内蔵した構造となっている。
【００１２】
図４乃至図９は請求項２以下に記載の発明の実施の形態を示すもので、図１乃至図３が一体型のデスクトップパネルであるのに対して、対面部となる２枚のフロントパネルと、これらフロントパネルの内端同士の連結で仕切部となるセンターパネルと、前記フロントパネルの外端に直角方向の外側面部となる２枚のサイドパネルとで構成して平面視略Ｓ字状に組立てるようになされたものである。
【００１３】
すなわち、図４，図５（図４を上下方向に対称とした形状）に示すものは、互いに平行で左右方向にずれて配置された２枚のフロントパネルＡ，ＡとフロントパネルＡの内側端部同士に直角となるように連結されるセンターパネルＢと、２枚のフロントパネルＡ，Ａの外側端部にそれぞれ直角に連結されるサイドパネルＣ，Ｃとからなっている。
【００１４】
ここで図に寸法を例示するように、各パネルの厚さを例えば２４ｍｍ，フロントパネルＡの長さ＝５６３ｍｍとすると、両サイドパネルＣ，ＣとセンターパネルＢの厚さに両フロントパネルＡ，Ａの長さを加えると１１９８ｍｍとなるが、この１１９８ｍｍを図示しないデスク天板の横幅と一致するように決めれば、このように組み立てられたものはデスク天板上に図１のように載置された場合、天板の横幅からはみ出すようなことはない。
【００１５】
そしてフロントパネルＡとセンターパネルＢおよびサイドパネルＣで囲まれたコの字型の凹部部分にＯＡ機器を設置することができるようになる。
【００１６】
図６および図７（図６を上下方向に対称とした形状）に示すものは、互いに平行で左右方向にずれて配置された２枚のフロントパネルＤ，ＤとフロントパネルＤの内側端部とある角度傾斜して連結するセンターパネルＥと、２枚のフロントパネルＤ，Ｄの外側端部にそれぞれ直角に連結しているサイドパネルＣ，Ｃとで構成したものである。
【００１７】
ここで図に寸法を例示するように、図示しないデスク天板の横幅を１１９８ｍｍとしてサイドパネルの厚さを２４ｍｍ，フロントパネルＤの長さ＝４６３ｍｍとすると、センターパネルＥの傾斜した部分の幅はこの差２２４ｍｍとなる。このようにデスク天板の横幅と一致するようにフロントパネルＤとセンターパネルＥの傾斜した部分の幅を決めれば、組み立てられたものはデスク天板上に図１のように載置された場合でも天板の横幅からはみ出すようなことはない。
【００１８】
この場合も前述と同様にフロントパネルＤとセンターパネルＥおよびサイドパネルＣで囲まれたほぼコの字型の凹部部分にＯＡ機器を設置するようになるが、図４，図５の場合と比較した場合ＯＡ機器を見やすい角度に振ることができる。
【００１９】
図８および図９（図６を上下方向に対称とした形状）に示すものは、図６，図７の寸法の一部を変えた例で、互いに平行で左右方向にずれて配置された異なる長さのフロントパネルＦ，Ｇと、フロントパネルＦとＧの内側端部とＥの場合よりも急傾斜した状態に連結するセンターパネルＨと、フロントパネルＦ，Ｇの外側端部にそれぞれ直角に連結しているサイドパネルＣ，Ｃとからなるものである。
【００２０】
ここで図に寸法を例示するように、図示しないデスク天板の横幅を１１９８ｍｍとしてサイドパネルＣの厚さを２４ｍｍ，フロントパネルＦの長さ＝４６３ｍｍ，Ｇの長さ＝５６３ｍｍとすると、センターパネルＨの傾斜した部分の幅はこの差１２４ｍｍとなる。このようにデスク天板の横幅と一致するようにフロントパネルＦ，ＧとセンターパネルＨの傾斜した部分の幅を決めれば、このように組み立てられたものはデスク天板上に図１のように載置された場合、天板の横幅からはみ出すようなことはない。
【００２１】
この場合もフロントパネルＧとセンターパネルＨおよびサイドパネルＣで囲まれたほぼコの字型の大きな方の凹部部分にＯＡ機器を設置するようになるが、大きな凹部を持つ部分に大型の機器を置くことができ、かつ大きく振ることが可能である。
【００２２】
なお、図４乃至図９に示す黒塗りの▽印はオプション取付面、白抜きの▽印はピンナップボード面である。
【００２３】
図１０は図４乃至図９に示したフロントパネル（以下、８とする）にサイドパネル（以下、９とする）を取付ける際の具体的構造を示したもので、サイドパネル９側の端部の上下にはフック１０ａを持つ取付金具１０がビス１１により取付けられており、これに対してフロントパネル８側の側面にはフック連結用穴（図示せず）が設けられている。
【００２４】
したがってフロントパネル８にサイドパネル９を取付けるには取付金具１０のフック１０ａをフロントパネル８側のフック連結用穴に差し込んで抜け止めすることにより取付けられる。またフロントパネル８に図１０（Ａ）に示す支柱１２を取付ける場合も支柱１２側に取付けられた取付金具１０のフック１０ａをフロントパネル８の他方の側面に設けられたフック連結用穴に差し込んで抜け止めすることにより同様に取付けられる。なお、支柱１２を用いず例えばもう１枚のフロントパネル８を同一面につなぎ合わせるような場合には図１０（Ｂ）に示すようなフック付き取付金具１３で直接固定するようにしてもよい。
【００２５】
このようにして組立られた各パネルをデスクに取付けるには予め天板上にビス等により固定されたデスク固定金具１４の上部片１４ａをサイドパネル９の下面に設けられた穴９ａに差し込むことにより固定される。あるいは図１０（Ｃ）に示すように水平な取付面１４′ａとその下方に垂直な取付面１４′ｂとを有するデスク固定金具１４′を用い、この固定金具１４′の水平な取付面１４′ａを予めサイドパネル９の下端面にビス止めしておき、他方の垂直な取付面１４′ｂデスク天板の側端面にビス止めするようにして取付けるようにしてもよい。
【００２６】
図１１はフロントパネル８に図６乃至図９に示した傾斜したセンターパネル（以下、１５とする）を取付ける際の具体的構造の一部を断面とした平面を示すもので、この場合はセンターパネル１５側にフック１５ａを持つ取付金具１０を取付け、フロントパネル８側に設けたフック連結用穴に差し込んで取付けた状態である。したがってセンターパネル１５の端部は傾斜面１５ａ，１５ａとされている。
【００２７】
また本発明にかかる対向型デスクトップパネルを構成する各パネルはＯＡ機器より放射されている電磁波を遮断するため金属板等を内蔵する構造を有している。
【００２８】
その中で、特にフロントパネル８は図１２に拡大断面を示すように電磁波を遮断するための鉄板、アルミニウム板、ステンレス鋼板等の金属板８ａと、コルクボード、インシュレーション等のピンが刺せる材料からなるピンナッブボード８ｂと、これらの表面を覆う化粧用クロス８ｃからなっている。したがって図１２の場合は左側（外側）が対面部１６となっているから、ここがピンナッブボード８ｂとなるように構成され、この対面部１６が侵入して置かれる側のデスクの使用者がピンにより紙葉を刺着する壁面として利用できるようになっている。なお、上記ピンナッブボード８ｂ以外にホワイトボード、ライトや原稿台の支持用フックの取付面等として対面者に供することができる。
【００２９】
図１３（Ａ）〜（Ｄ）は各パネルのデスク幅に対する寸法の組合わせ例を示すもので、通常オフィス用のデスク幅は１０００ｍｍ（図１３（Ａ））、１２００ｍｍ（図１３（Ｂ））、１４００ｍｍ（図１３（Ｃ））、１６００ｍｍ（図１３（Ｄ））に規格化されており、したがって図１３（Ａ）〜（Ｄ）に記載されている寸法（５００、６００、７００、８００ｍｍ）のフロントパネル８と、１００〜２００ｍｍの幅方向寸法用と傾斜なし用の３種類のセンターパネル１５とを用意すれば、４種のデスクに対し１３種類のデスクトップパネルの形態が得られる。
【００３０】
図１４、図１５は、オプションとしてデスクトップパネル１の上に載置してプリンタその他必要な機器類を載せる棚１７、フロッピーデスクなどを整理して収納するための注出１８，１８および本立１９を有する棚２０を示すもので、適宜採択することができる。
【００３１】
【発明の効果】
本発明によれば、本発明にかかるデスクトップパネルは２枚のフロントパネルと、１枚のセンターパネルおよび２枚のサイドパネルをデスクの横幅に応じ適当に選択して容易に組み立てることができるので、一体ものに比較して多様にかつ安価に提供することができる。
また、対向配置されるデスクのデスク天板に向き合う者同士が互いに相手側のデスクの一部を利用し合ってＯＡ機器類を設置使用できるが、設置に際しては見やすい角度に振らすことが容易であり、しかも一般事務用のスペースも十分に確保でき、ＯＡ機器と一般事務とに共用するとき極めて有効である。
また、デスクトップパネルおよびこれらを構成する各パネルに金属板を内蔵することにより、上記効果に加え、対向者が使用するＣＲＴディスプレイから放射される電磁波を遮断することができ、電磁波による影響を少なくすることができる効果がある。
【００３４】
４）さらにフロントパネルに示したようにピンナップボードあるいはホワイトボード等を設ければ、ピンによる書類の止め付けによる書類の整理、メモ書き用として利用することもできる。
【図面の簡単な説明】
【図１】請求項１記載の発明のデスクトップパネルの使用状態を示す斜視図。
【図２】同、平面図。
【図３】同、正面図。
【図４】請求項３記載の発明によるデスクトップパネルの組立状態を示す平面図。
【図５】図４を上下方向に１８０°回転した場合の組立状態を示す平面図。
【図６】請求項４記載の発明によるデスクトップパネルの組立状態を示す平面図。
【図７】図６を上下方向に１８０°回転した場合の組立状態を示す平面図。
【図８】請求項５記載の発明によるデスクトップパネルの組立状態を示す平面図。
【図９】図８を上下方向に１８０°回転した場合の組立状態を示す平面図。
【図１０】（Ａ）〜（Ｃ）は請求項３記載の発明の組立の場合の具体的構造を示す斜視図。
【図１１】請求項４記載の発明の組立の場合の具体的構造を示す斜視図。
【図１２】請求項３，４，５記載の発明のフロントパネルの断面図。
【図１３】（Ａ）〜（Ｄ）はパネルの寸法例を示す説明図。
【図１４】オプションとしての棚の一例を示す斜視図。
【図１５】同、他の棚を示す斜視図。
【符号の説明】
１  デスクトップパネル
２  デスク
３  天板
４  対面部
５  仕切部
６  外側面部
７  凹部
８、Ａ、Ｄ、Ｆ、Ｇ  フロントパネル
８ｂ  ピンナッブボード
１５、Ｂ、Ｅ、Ｈ  センターパネル
Ｃ  サイドパネル
【図１】
0003751381.tif 000002
【図２】
0003751381.tif 000003
【図３】
0003751381.tif 000004
【図４】
0003751381.tif 000005
【図５】
0003751381.tif 000006
【図６】
0003751381.tif 000007
【図７】
0003751381.tif 000008
【図８】
0003751381.tif 000009
【図９】
0003751381.tif 000010
【図１０】
0003751381.tif 000011
【図１１】
0003751381.tif 000012
【図１２】
0003751381.tif 000013
【図１３】
0003751381.tif 000014
【図１４】
0003751381.tif 000015
【図１５】
0003751381.tif 000016